(57)【要約】【課題】インターネット経由で語学学習用の音声コンテンツを携帯ネットワーク端末にダウンロードしてこれを再生する、語学学習システムにおいて、効率的な語学学習を実現するものを提供することである。【解決手段】携帯ネットワーク端末が二次元バーコードの読み取り機能を有し、携帯ネットワーク端末が、語学学習用の書籍に印刷されている二次元バーコードを読み取って、この二次元バーコードが示すＵＲＬに対応するウェブサーバのリソースにアクセスした後に、語学学習用の音声コンテンツを提供するコンテンツサーバから音声コンテンツを取得する構成として、上記目的を実現した。【選択図】  図２
2007212592.tif 000002
【特許請求の範囲】
【請求項１】
二次元バーコードの読み取り機能を有すると共に、インターネットを介して所定の音声コンテンツを取得して再生する機能を有する携帯ネットワーク端末と、
インターネットを介して前記携帯ネットワーク端末に語学学習用の音声コンテンツを提供するコンテンツサーバと、
ＨＴＴＰに従って前記携帯ネットワーク端末にデータを送信可能なウェブサーバと、
を備えた語学学習システムであって、
前記携帯ネットワーク端末は、語学学習用の書籍に印刷されている二次元バーコードを読み取って、該二次元バーコードが示すＵＲＬに対応する前記ウェブサーバのリソースにアクセスした後に、前記コンテンツサーバから音声コンテンツを取得すること、
を特徴とする語学学習システム。
【請求項２】
前記ウェブサーバと前記コンテンツサーバとが同一の装置であり、
該二次元バーコードが示すＵＲＬに対応するリソースは、前記コンテンツサーバによって管理されるリソースである、ことを特徴とする請求項１に記載の語学学習システム。
【請求項３】
該二次元バーコードが示すＵＲＬに対応するリソースは、前記コンテンツサーバによって管理されるＨＴＭＬドキュメントであり、
該ＨＴＭＬドキュメントには、該音声コンテンツへのリンクアンカーが含まれていること、
ことを特徴とする請求項２に記載の語学学習システム。
【請求項４】
該二次元バーコードは、該書籍に印刷されているフレーズごとに設けられており、該二次元バーコードが示すＵＲＬに対応するＨＴＭＬドキュメントには、該フレーズに対応する音声コンテンツへのリンクアンカーが含まれていること、を特徴とする請求項３に記載の語学学習システム。
【請求項５】
前記コンテンツサーバは、携帯ネットワーク端末の固有情報を読み取る固有情報取得手段と、登録済みの携帯ネットワーク端末の固有情報が記憶される固有情報データベースと、を有し、
前記コンテンツサーバは、前記コンテンツサーバにアクセスする携帯ネットワーク端末の固有情報が、前記固有情報データベースに記憶されているものと一致した場合のみ、該ＨＴＭＬドキュメントを前記携帯ネットワーク端末に送信する、
ことを特徴とする請求項３又は４に記載の語学学習システム。
【請求項６】
前記コンテンツサーバは、前記コンテンツサーバにアクセスする携帯ネットワーク端末の固有情報が、前記固有情報データベースに記憶されているものと一致しない場合は、該音声コンテンツへのリンクアンカーが含まれない代替のＨＴＭＬドキュメントを前記携帯ネットワーク端末に送信する、ことを特徴とする請求項５に記載の語学学習システム。
【請求項７】
該二次元バーコードが示すＵＲＬに対応するリソースは、該音声コンテンツであること、を特徴とする、請求項２に記載の語学学習システム。
【請求項８】
該二次元バーコードは、該書籍に印刷されているフレーズごとに設けられており、該二次元バーコードが示すＵＲＬに対応する音声コンテンツは、該フレーズに対応する音声コンテンツであること、を特徴とする請求項７に記載の語学学習システム。
【請求項９】
前記コンテンツサーバは、携帯ネットワーク端末の固有情報を読み取る固有情報取得手段と、登録済みの携帯ネットワーク端末の固有情報が記憶される固有情報データベースと、を有し、
前記コンテンツサーバは、前記コンテンツサーバにアクセスする携帯ネットワーク端末の固有情報が、前記固有情報データベースに記憶されているものと一致した場合のみ、該音声コンテンツを前記携帯ネットワーク端末に送信する、
ことを特徴とする請求項７又は８に記載の語学学習システム。
【請求項１０】
前記コンテンツサーバは、前記コンテンツサーバにアクセスする携帯ネットワーク端末の固有情報が、前記固有情報データベースに記憶されているものと一致しない場合は、代替のＨＴＭＬドキュメントを前記携帯ネットワーク端末に送信する、ことを特徴とする請求項９に記載の語学学習システム。
【請求項１１】
該二次元バーコードが示すＵＲＬに対応するリソースは、前記ウェブサーバによって管理される第１のＨＴＭＬドキュメントであり、
該第１のＨＴＭＬドキュメントには、前記コンテンツサーバが管理する第２のＨＴＭＬドキュメントへのリンクアンカーが複数含まれており、
該第２のＨＴＭＬドキュメントには、前記コンテンツサーバによって管理される第３のＨＴＭＬドキュメントへのリンクアンカーが複数含まれており、
該第３のＨＴＭＬドキュメントには、該音声コンテンツへのリンクアンカーが含まれていること、
を特徴とする請求項１に記載の語学学習システム。
【請求項１２】
該第２のＨＴＭＬドキュメントは、該書籍の単数又は複数の所定のページに含まれる複数のフレーズに対応する音声コンテンツの各々へのリンクアンカーが含まれた該第３のＨＴＭＬドキュメントへのリンクアンカーが含まれていること、を特徴とする請求項１１に記載の語学学習システム。
【請求項１３】
前記コンテンツサーバは、携帯ネットワーク端末の固有情報を読み取る固有情報取得手段と、登録済みの携帯ネットワーク端末の固有情報が記憶される固有情報データベースと、を有し、
前記コンテンツサーバは、前記コンテンツサーバにアクセスする携帯ネットワーク端末の固有情報が、前記固有情報データベースに記憶されているものと一致した場合のみ、該第２のＨＴＭＬドキュメントを前記携帯ネットワーク端末に送信する、
ことを特徴とする請求項１１又は１２に記載の語学学習システム。
【請求項１４】
前記コンテンツサーバは、前記コンテンツサーバにアクセスする携帯ネットワーク端末の固有情報が、前記固有情報データベースに記憶されているものと一致しない場合は、代替のＨＴＭＬドキュメントを前記携帯ネットワーク端末に送信する、ことを特徴とする請求項１３に記載の語学学習システム。
【請求項１５】
前記コンテンツサーバは、前記携帯ネットワーク端末の機種情報を読み取る機種情報取得手段と、前記携帯ネットワーク端末が該音声コンテンツの再生に対応したものであるかどうかを該機種情報より判定する機種判定手段と、を備え、
前記携帯ネットワーク端末が該音声コンテンツの再生に対応したものである時のみ、前記コンテンツサーバは該音声コンテンツを前記携帯ネットワーク端末に送信する、
ことを特徴とする請求項１から１５のいずれかに記載の語学学習システム。
【発明の詳細な説明】
【技術分野】
【０００１】
本発明は、インターネット経由で語学学習用の音声コンテンツを携帯ネットワーク端末にダウンロードしてこれを再生する、語学学習システムに関する。
【背景技術】
【０００２】
近年、インターネットを利用した語学学習システムが利用されつつ有る。また、インターネットに接続可能な携帯電話の普及に伴い、例えば特許文献１に記載されているもののような、携帯電話に語学学習用の音声コンテンツをダウンロードしてこれを携帯電話の使用者が再生するような語学学習システムが提案されている。
【特許文献１】特開２００３−２５５８１１号公報
【０００３】
このような語学学習システムにおいては、携帯電話の使用者がキー操作によって語学学習システムのサーバのＵＲＬを入力する。サーバは、携帯電話に語学学習用のコンテンツを送信する。このコンテンツは例えばＨＴＭＬドキュメントであり、外国語の例文のフレーズ、そのフレーズの説明、及びそのフレーズの発音を学習するための音声コンテンツへのリンクアンカーを含む。このコンテンツは、携帯電話の画面上に表示されるようになっている。携帯電話の使用者は、画面上に表示された学習用コンテンツの内容を読み、さらにそこにリンクされている音声コンテンツをダウンロードし、そのフレーズの発音を確認することによって、外国語の学習を行う。
【発明の開示】
【発明が解決しようとする課題】
【０００４】
上記のように、従来の語学学習システムにおいては、携帯電話等の携帯ネットワーク端末の画面上に学習用フレーズとその説明を表示するようになっている。携帯ネットワーク端末の画面は２４０×３２０画素又はそれ未満といった表示領域の小さいものが多く、フレーズとその説明を読むためには、携帯電話のキー操作によって画面上の文字情報を適宜スクロールさせる必要があった。
【０００５】
携帯ネットワーク端末を用いた語学学習においては、あるフレーズの音声を聞く際に、そのフレーズのテキスト及びその説明を参照することが効果的であると考えられる。しかしながら、携帯ネットワーク端末の狭い画面では、フレーズとその説明を一度に参照することは難しい。また、特に携帯電話を携帯ネットワーク端末として使用する場合は、ヘッドフォン等を接続しない限り、音声を聴きながら画面を見ることはできない。さらに、携帯ネットワーク端末のキー操作によって、コンテンツのＵＲＬを入力するものであるため、コンテンツの表示及び音声の再生を行うまでに煩雑な操作を行う必要があった。これらの理由のため、従来の語学学習システムは、学習効率という観点からはやや難があったといえる。
【課題を解決するための手段】
【０００６】
上記の問題を解決するため、本発明の語学学習システムにおいては、携帯ネットワーク端末が二次元バーコードの読み取り機能を有し、携帯ネットワーク端末が、語学学習用の書籍に印刷されている二次元バーコードを読み取って、この二次元バーコードが示すＵＲＬに対応するウェブサーバのリソースにアクセスした後に、語学学習用の音声コンテンツを提供するコンテンツサーバから音声コンテンツを取得するようになっている。
【０００７】
このように、本発明の構成においては、学習の対象であるフレーズのテキスト及びその説明は書籍に印刷されたものを使用する。従って、フレーズのテキスト及びその説明を参照しながらそのフレーズの音声を聞くことが可能となる。また、二次元バーコードを読み取ることによって、煩雑なキー操作を行わずに語学学習用コンテンツの取得が可能となる。よって、本発明の構成によれば、語学学習を効率よく行うことが可能となる。
【０００８】
また、二次元バーコードは、書籍に印刷されているフレーズごとに設けられている構成とすると、バーコードを読み取った後、より少ない手順で音声コンテンツの取得・再生を開始することができる。
【０００９】
また、コンテンツサーバは、携帯ネットワーク端末の固有情報を読み取る固有情報取得手段と、登録済みの携帯ネットワーク端末の固有情報が記憶される固有情報データベースと、を有し、コンテンツサーバにアクセスする携帯ネットワーク端末の固有情報が、固有情報データベースに記憶されているものと一致した場合のみ、音声コンテンツの取得が可能となる構成としてもよい。さらに、コンテンツサーバにアクセスする携帯ネットワーク端末の固有情報が固有情報データベースに記憶されているものと一致しない場合は、音声コンテンツへのリンクアンカーが含まれない代替のＨＴＭＬドキュメントを携帯ネットワーク端末に送信する構成としてもよい。
【００１０】
このような構成とすると、登録済みのユーザが所有する携帯ネットワーク端末のみに音声コンテンツが送信される。
【００１１】
また、二次元バーコードが示すＵＲＬに対応するリソースは、ウェブサーバによって管理される第１のＨＴＭＬドキュメントであり、第１のＨＴＭＬドキュメントには、コンテンツサーバが管理する第２のＨＴＭＬドキュメントへのリンクアンカーが複数含まれており、第２のＨＴＭＬドキュメントには、コンテンツサーバによって管理される第３のＨＴＭＬドキュメントへのリンクアンカーが複数含まれており、第３のＨＴＭＬドキュメントには、音声コンテンツへのリンクアンカーが含まれている構成としてもよい。
【００１２】
このような構成においては、一種のポータルとして機能するウェブサーバと、実際に音声コンテンツを提供するコンテンツサーバとを別個に提供することが可能である。
【００１３】
また、コンテンツサーバは、携帯ネットワーク端末の機種情報を読み取る機種情報取得手段と、携帯ネットワーク端末が該音声コンテンツの再生に対応したものであるかどうかを該機種情報より判定する機種判定手段と、を備え、携帯ネットワーク端末が該音声コンテンツの再生に対応したものである時のみ、音声コンテンツを前記携帯ネットワーク端末に送信する構成としてもよい。
【発明の効果】
【００１４】
以上のように、本発明によれば、効率的な学習が可能な語学学習システムが提供される。
【発明を実施するための最良の形態】
【００１５】
以下、本発明の実施の形態につき、図面を参照して説明する。図１は、本発明の第１の実施形態における、学習システムの全体図を示したものである。本システムにおいては、インターネットＩに接続された第１サーバ２０１、第２サーバ２０２、携帯電話基地局３０１、及びこの携帯電話基地局３０１に対して無線にて音声情報やパケットデータの送受信を行うことが携帯電話３０２を有する。
【００１６】
第１サーバ２０１および第２サーバ２０２は共に、ＨＴＴＰ（ＨｙｐｅｒＴｅｘｔ  Ｔｒａｎｓｐｏｒｔ  Ｐｒｏｔｏｃｏｌ）に基づいて各種データの送受信を行うことが可能な、いわゆるＷＷＷ（Ｗｏｒｌｄ  Ｗｉｄｅ  Ｗｅｂ）サーバである。
【００１７】
ここで、携帯電話３０２から第１又は第２サーバ内のリソースに対応したＵＲＬに対するＨＴＴＰリクエストを含むパケットが携帯電話基地局３０１に送信されると、携帯電話基地局３０１はそのパケットに含まれるＨＴＴＰリクエストをインターネットプロトコル（ＴＣＰ／ＩＰ）に準拠したパケットに変換し、そのＵＲＬが示すＷｅｂサーバにＨＴＴＰリクエストを転送する。第１又は第２サーバは、ＨＴＴＰリクエストを受信すると、ＨＴＴＰレスポンス（例えば、ＵＲＬに対応するリソースが含まれるデータ）を携帯電話基地局３０１に送信する。携帯電話基地局３０１は、受信したＨＴＴＰレスポンスを携帯電話３０２用のパケットに変換し、これを携帯電話３０２に送信する。かくして、ＵＲＬに対応した所望のリソース（ＨＴＭＬドキュメント、画像、音声など）が携帯電話３０２の使用者に提供される。
【００１８】
なお、図１においては携帯電話基地局３０１及び携帯電話３０２はそれぞれ１つのみ図示されているが、実際は複数の携帯電話基地局３０１がインターネットに接続されており、携帯電話基地局３０１の各々は、複数の携帯電話３０２に対して同時に異なるデータの送受信を行うことが可能である。
【００１９】
本実施形態のシステムで使用される携帯電話３０２は電子カメラを内蔵している。携帯電話３０２の使用者は、この内蔵電子カメラを操作して、出版物、看板、ＰＣ等の画面に印刷若しくは表示されているＱＲコードを撮影することができる。ＱＲコードとは、二次元バーコードの一種であり、数１０ミリメートル四方程度、またはそれよりも小さい領域内に形成されており、文字に換算して最大数千字のデータをこの領域に含ませることが可能である。携帯電話３０２に内蔵のカメラでＱＲコードを読みこんで処理することによって、携帯電話３０２の使用者はＱＲコードが指し示す情報を取得することができる。通常は、携帯電話３０２によって読み取られることが期待されるＱＲコードが指す情報は、所定のリソースに対応するＵＲＬである。携帯電話３０２は、撮影されたＱＲコードに含まれるＵＲＬを抽出し、そのＵＲＬが示すリソースを管理するサーバに対して（携帯電話基地局３０１を介して）ＨＴＴＰリクエストを送信する。すなわち、携帯電話３０２の使用者は、キー操作でＵＲＬを入力する代わりに、ＱＲコードを取り込むことによって、所望のインターネットサーバに接続して、そのサーバが提供するサービスを受けることができる。
【００２０】
本実施携帯のシステムにおいては、携帯電話３０２の使用者は、図示しない語学学習テキスト書籍を参照しながら、この書籍に記載されている外国語の例文に対応した音声データを第１サーバ２０１からダウンロードして再生することによって、その例文の発音につき学習する。以下、本実施形態による音声データのダウンロード手順につき説明する。
【００２１】
図２は、本実施形態における携帯電話３０２、第１サーバ２０１および第２サーバ２０２の挙動を示すタイムチャートである。本実施形態においては、書籍のカバーやオビなどにＱＲコードが印刷されており、携帯電話３０２の使用者はこのＱＲコードを携帯電話３０２に内蔵されたカメラで読み取る。書籍に印刷されたＱＲコードは、第２サーバによって管理されている所定のＨＴＭＬドキュメントを示すＵＲＬに対応したものである。携帯電話３０２によってこのＱＲコードが読み取られると、携帯電話３０２は第２サーバからＨＴＭＬドキュメントのダウンロードを行う為のＨＴＴＰリクエストを携帯電話基地局３０１を介して第２サーバ２０２に送る（Ｔ１）。第２サーバ２０２は、このリクエストを受信すると、携帯電話基地局３０１を介してそのリクエストに対応した（すなわち、ＱＲコードのＵＲＬに対応するリソースである）ＨＴＴＰレスポンスとしてのＨＴＭＬドキュメントを携帯電話３０２に送る（Ｔ２）。
【００２２】
このＨＴＭＬドキュメントは、携帯電話の画面上では図３のように示される。図３に示されるように、ＨＴＭＬドキュメントには書籍のページ数に対応した複数のリンクアンカーＬ１が表示されている。このリンクアンカーＬ１の各々は、第１サーバ２０１が管理するＨＴＭＬドキュメントへのリンクとなっている。携帯電話３０２の使用者は、キー操作によって所望のアンカーを選択し、携帯電話基地局３０１を介してそのアンカーに示されるＵＲＬに対応するＨＴＭＬドキュメントを取得する為のＨＴＴＰリクエストを第１サーバ２０１に送信する（Ｔ３）。この際、携帯電話３０２は第１サーバ２０１に携帯電話３０２自身の固有情報を送信している。この固有情報とは、携帯電話３０２一台ごとに割り当てられたユニークな情報である。この固有情報は、例えばＨＴＴＰリクエストのヘッダ内に記録されている。この固有情報から、携帯電話３０２の機種を判別することも可能である。
【００２３】
第１サーバ２０１は、このＨＴＴＰリクエストを受信すると、ＨＴＴＰリクエストに含まれる固有情報を抽出する（Ｔ４）。次いで、ＨＴＴＰリクエストに含まれるＵＲＬに対応するＨＴＭＬドキュメントを携帯電話３０２に送信する（Ｔ５）。このＨＴＭＬドキュメントは、図４のように、Ｔ３で使用者が選択した書籍のページに含まれるフレーズに対応した複数のリンクアンカーＬ２を含む。このリンクアンカーＬ２の各々は、リンクアンカーＬ２が付けられたフレーズを発音した音声データをダウンロードする為のＨＴＭＬドキュメントへのリンクとなっている。この音声データおよびＨＴＭＬドキュメントは、第１サーバ２０１によって管理されているリソースである。携帯電話３０２の使用者は、キー操作によって所望のアンカーを選択し、携帯電話基地局３０１を介してそのアンカーに示されるＵＲＬに対応するＨＴＭＬドキュメントを取得する為のＨＴＴＰリクエストを第１サーバ２０１に送信する（Ｔ６）。
【００２４】
第１サーバ２０１は、Ｔ６で送信されたＨＴＴＰリクエストを受信すると、ＨＴＴＰリクエストに含まれるＵＲＬに対応するＨＴＭＬドキュメントを携帯電話３０２に送信する（Ｔ７）。携帯電話３０２は、第１サーバ２０１から受信したＨＴＭＬドキュメントを表示する（Ｔ８）。ＨＴＭＬドキュメントは、図５のように、Ｔ６で使用者が選択したフレーズを発音した音声データに対応したリンクアンカーを含む。
【００２５】
携帯電話３０２の使用者は、図５のようなドキュメントを確認し、音声データをダウンロードすべきかを判断する（Ｔ９）。携帯電話３０２の使用者が音声データをダウンロードする場合は（Ｔ９：ＹＥＳ）、使用者はキー操作にて音声データへのリンクを選択する。この操作によって、携帯電話３０２は、Ｔ８で表示されたＨＴＭＬドキュメントに含まれるアンカーに示されるＵＲＬに対応する音声データを取得する為のＨＴＴＰリクエストを第１サーバ２０１に送信する。一方、携帯電話３０２の使用者が音声データをダウンロードしない場合は（Ｔ９：ＮＯ）、使用者はキー操作にて、Ｔ６で取得したＨＴＭＬドキュメントを再表示させる。
【００２６】
第１サーバ２０１は、Ｔ９で送信されたＨＴＴＰリクエストを受信すると、Ｔ３で取得したＨＴＴＰリクエストのヘッダに含まれる固有情報から、携帯電話３０２が音声のダウンロードに対応した機種であるかどうか（例えば、携帯電話３０２が特定の形式の音声データファイルを再生可能であるかどうか）の判定が行われる。（Ｔ１０）。
【００２７】
携帯電話３０２が音声ダウンロード対応機種であるのならば（Ｔ１０：ＹＥＳ）、対応する音声データを携帯電話３０２に送信する（Ｔ１１）。携帯電話３０２は、受信した音声データを再生する（Ｔ１２）。次いで、使用者はキー操作にて、Ｔ６で取得したＨＴＭＬドキュメントを再表示させる。また、Ｔ１０において携帯電話３０２が音声ダウンロード未対応機種であることが分かった場合は（Ｔ１０：ＮＯ）、ダウンロード不可を示すＨＴＭＬドキュメント（例えば、ＨＴＴＰエラー４０３のドキュメント）を代わりに送信する（Ｔ１３）。携帯電話３０２は、受信したドキュメントを表示する（Ｔ１４）。次いで、使用者はキー操作にて、Ｔ６で取得したＨＴＭＬドキュメントを再表示させる。
【００２８】
以上説明した本発明の第１の実施形態によれば、携帯電話３０２の使用者は、書籍のオビ等に印刷されているＱＲコードを読み取って書籍に記載されている会話フレーズの音声データをダウンロードする為のサイトにアクセスする。使用者は、このサイトからフレーズの音声データをダウンロードして、書籍に記載されているフレーズを参照しながらこのフレーズの音声を聞くことができる。また、本実施形態においては、書籍に対応した一種のポータルサイトを提供する第２サーバと、音声データを提供する第１サーバとを別個に用意している。第１サーバと第２サーバとは別個の企業・団体によって運営されていてもよく、例えば書籍の出版社が第２サーバを運営し、第２サーバを運営する出版社と契約した音声提供サービス会社によって提供される。第１サーバの構成としては、大量の音声を記憶する為の大容量のストレージを有するもの、あるいは音声合成や予め作成された単語ごとの音声データを組み合わせてフレーズの音声データを動的に生成するものなどが考えられるが、いずれも大容量のストレージ若しくは高速なプロセッサを必要とする。従って、出版社が第２サーバのみを運営し、音声データは音声データの提供に特化したサービスを提供するようなサーバから取り寄せる構成とすることによって、出版社は本実施形態のような学習サービスをより低コストに運営可能である。なお、第１サーバと第２サーバとが同一の企業によって運営される単一のサーバ装置である様な構成もまた、本発明の範囲内である。
【００２９】
本発明は上記の実施形態に限定されるものではなく、様々な変形が可能である。以下に説明する本発明の第２〜第４の実施形態は、そのような変形例につき説明したものである。
【００３０】
図６は、本発明の第２の実施形態における、学習システムの全体図を示したものである。本システムの構成要素は、第２サーバ２０２が無いという点においてのみ、本発明の第１の実施形態と異なる。
【００３１】
本実施形態において使用される語学学習用書籍の内容を図７に示す。図７に示されるように、本実施形態においては、書籍の各ページに複数のＱＲコードＱが印刷されている。ＱＲコードＱは、その左隣に印刷されているフレーズＰに対応したものである。携帯電話３０２の使用者は、携帯電話３０２に内蔵された電子カメラを用いて所望のフレーズＰに対応したＱＲコードＱを読み取ることによって、所望のフレーズＰに対応する音声を聞くことができる。以下、その手順につき図面を用いて説明する。
【００３２】
図８は、本実施形態における携帯電話３０２および第１サーバ２０１の挙動を示すタイムチャートである。携帯電話３０２の使用者は、携帯電話３０２に内蔵された電子カメラを用いて所望のフレーズに対応したＱＲコードを読み取る。このＱＲコードの示す情報は、ＱＲコードの隣に印刷されているフレーズに対応する音声データをダウンロードする為のＨＴＭＬドキュメントのＵＲＬである。携帯電話３０２は第１サーバ２０１からＨＴＭＬドキュメントのダウンロードを行う為のＨＴＴＰリクエストを携帯電話基地局３０１を介して第１サーバ２０１に送る（Ｔ２１）。この時、ＨＴＴＰリクエストには携帯電話３０２の固有情報が含まれている。
【００３３】
第１サーバ２０１は、このＨＴＴＰリクエストを受信すると、ＨＴＴＰリクエストに含まれる固有情報を抽出する（Ｔ２２）。次いで、ＨＴＴＰリクエストに含まれるＵＲＬに対応するＨＴＭＬドキュメントを携帯電話３０２に送信する（Ｔ２３）。携帯電話３０２は、第１サーバ２０１から受信したＨＴＭＬドキュメントを表示する（Ｔ２４）。ＨＴＭＬドキュメントは、図９のようになっている。このＨＴＭＬドキュメントは、ＱＲコードＱ（図７）の隣に印刷されているフレーズＰ（図７）を発音した音声データに対応したリンクアンカーＬ３を含む。
【００３４】
携帯電話３０２の使用者は、図９のようなドキュメントを確認し、音声データをダウンロードすべきかを判断する（Ｔ２５）。携帯電話３０２の使用者が音声データをダウンロードする場合は（Ｔ２５：ＹＥＳ）、使用者はキー操作にて音声データへのリンクアンカーＬ３を選択する。この操作によって、携帯電話３０２は、Ｔ２４で表示されたＨＴＭＬドキュメントに含まれるリンクアンカーＬ３に示されるＵＲＬに対応する音声データを取得する為のＨＴＴＰリクエストを第１サーバ２０１に送信する。一方、携帯電話３０２の使用者が音声データをダウンロードしない場合は（Ｔ２５：ＮＯ）、使用者はキー操作にて、Ｔ２４で取得したＨＴＭＬドキュメントを再表示させる。
【００３５】
第１サーバ２０１は、Ｔ２５で送信されたＨＴＴＰリクエストを受信すると、携帯電話３０２が音声のダウンロードに対応した機種であるかどうか（例えば、携帯電話３０２が特定の形式の音声データファイルを再生可能であるかどうか）の判定が行われる（Ｔ２６）。
【００３６】
携帯電話３０２が音声ダウンロード対応機種であるならば（Ｔ２６：ＹＥＳ）、対応する音声データを携帯電話３０２に送信する（Ｔ２７）。携帯電話３０２は、受信した音声データを再生する（Ｔ２８）。次いで、使用者はキー操作にて、Ｔ２４で取得したＨＴＭＬドキュメントを再表示させる。また、Ｔ２６において携帯電話３０２が音声ダウンロード未対応機種であることが分かった場合は（Ｔ２６：ＮＯ）、ダウンロード不可を示すＨＴＭＬドキュメント（例えば、ＨＴＴＰエラー４０３のドキュメント）を代わりに送信する（Ｔ２９）。携帯電話３０２は、受信したドキュメントを表示する（Ｔ３０）。次いで、使用者はキー操作にて、Ｔ２４で取得したＨＴＭＬドキュメントを再表示させる。
【００３７】
次いで、本発明の第３の実施形態につき説明する。本実施形態のシステムの構成は図６に示す本発明の第２の実施形態のものと同一である。また、本実施形態においても、図７のように、書籍内のページに複数のＱＲコードが印刷されている。ただし、本実施形態においては、ＱＲコードの示す情報は、対応するフレーズの音声データのＵＲＬである。
【００３８】
図１０は、本実施形態の携帯電話３０２および第１サーバ２０１の挙動を示すタイムチャートである。携帯電話３０２によってＱＲコードが読み取られると、携帯電話３０２は第１サーバ２０１から音声データのダウンロードを行う為のＨＴＴＰリクエストを携帯電話基地局３０１を介して第１サーバ２０１に送る（Ｔ４１）。この時、ＨＴＴＰリクエストには携帯電話３０２の固有情報が含まれている。
【００３９】
第１サーバ２０１は、このＨＴＴＰリクエストを受信すると、ＨＴＴＰリクエストに含まれる固有情報を抽出する（Ｔ４２）。次いで、第１サーバ２０１は、Ｔ４２で取得したＨＴＴＰリクエストのヘッダに含まれる固有情報から、携帯電話３０２が音声のダウンロードに対応した機種であるかどうか（例えば、携帯電話３０２が特定の形式の音声データファイルを再生可能であるかどうか）を判定する（Ｔ４３）。
【００４０】
携帯電話３０２が音声ダウンロード対応機種であるのならば（Ｔ４３：ＹＥＳ）、対応する音声データを携帯電話３０２に送信する（Ｔ４４）。携帯電話３０２は、受信した音声データを再生する（Ｔ４５）。また、Ｔ４３において携帯電話３０２が音声ダウンロード未対応機種であることが分かった場合は（Ｔ４３：ＮＯ）、ダウンロード不可を示すＨＴＭＬドキュメント（例えば、ＨＴＴＰエラー４０３のドキュメント）を代わりに送信する（Ｔ４７）。
【００４１】
次いで、本発明の第４の実施形態につき説明する。本実施形態のシステムの構成要素は、本発明の第２、３の実施形態と同様、インターネットＩに接続された第１サーバ２０１および携帯電話基地局３０１、および携帯電話３０２である。
【００４２】
本実施形態におけるＱＲコードは、第２の実施形態と同様に書籍の１頁に複数印刷されている。また、ＱＲコードが示す情報は、第２の実施形態と同様、ＱＲコードの隣に印刷されたフレーズに対応する音声データをダウンロードする為のＨＴＭＬドキュメントのＵＲＬである（図７参照）。本実施形態の携帯電話３０２および第１サーバ２０１の挙動につき図面を用いて説明する。図１１は、本実施形態の携帯電話３０２および第１サーバ２０１の挙動を示すタイムチャートである。
【００４３】
携帯電話３０２の使用者は、携帯電話３０２に内蔵された電子カメラを用いて所望のフレーズに対応したＱＲコードを読み取る。携帯電話３０２は第１サーバ２０１からＨＴＭＬドキュメントのダウンロードを行う為のＨＴＴＰリクエストを携帯電話基地局３０１を介して第１サーバ２０１に送る（Ｔ５１）。この時、ＨＴＴＰリクエストには携帯電話３０２の固有情報が含まれている。
【００４４】
第１サーバ２０１は、このＨＴＴＰリクエストを受信すると、ＨＴＴＰリクエストに含まれる固有情報を抽出する（Ｔ５２）。さらに、第１サーバ２０１は、Ｔ５２で取得したＨＴＴＰリクエストのヘッダに含まれる固有情報が登録済みであるかどうかを判定する。すなわち、携帯電話３０２の使用者は、本システムにかかるサービスの提供を受けるに当たって、予め携帯電話３０２の固有情報を第１サーバ２０１に送信しており、第１サーバ２０１はこの固有情報をデータベースに記憶している。第１サーバ２０１はリクエストのヘッダに含まれる固有情報と、データベースに記憶されている固有情報とを比較して携帯電話３０２の使用者が登録済みであるかどうかを判定する（Ｔ５３）。
【００４５】
携帯電話３０２の使用者が登録済みであるのならば（Ｔ５３：ＹＥＳ）、第１サーバ２０１は、ＨＴＴＰリクエストに含まれるＵＲＬに対応するＨＴＭＬドキュメントを携帯電話３０２に送信する（Ｔ５４）。携帯電話３０２は、第１サーバ２０１から受信したＨＴＭＬドキュメントを表示する（Ｔ５５）。ＨＴＭＬドキュメントは、図９のように、ＱＲコードの隣に印刷されているフレーズを発音した音声データに対応したリンクアンカーを含む。
【００４６】
一方、Ｔ５３において携帯電話３０２の使用者が未登録であることが分かった場合は（Ｔ５３：ＮＯ）、未登録者向けのＨＴＭＬドキュメントを代わりに送信する（Ｔ５６）。携帯電話３０２は、受信したドキュメントを表示する（Ｔ５７）。このドキュメントは、例えば図１２のような、音声データへのリンクアンカーを含まないＨＴＭＬドキュメントである。
【００４７】
Ｔ５７において、携帯電話３０２にＨＴＭＬドキュメントが表示されると、使用者は、このドキュメントを確認し、音声データをダウンロードすべきかを判断する。携帯電話３０２の使用者が音声データをダウンロードする場合は、使用者はキー操作にて音声データへのリンクを選択する。この操作によって、携帯電話３０２は、Ｔ２４で表示されたＨＴＭＬドキュメントに含まれるアンカーに示されるＵＲＬに対応する音声データを取得する為のＨＴＴＰリクエストを第１サーバ２０１に送信する。
【００４８】
このＨＴＴＰリクエストを受信すると、第１サーバ２０１は、携帯電話３０２が音声のダウンロードに対応した機種であるかどうか（例えば、携帯電話３０２が特定の形式の音声データファイルを再生可能であるかどうか）を判定する（Ｔ５９）。携帯電話３０２が音声ダウンロード対応機種であるのならば（Ｔ５９：ＹＥＳ）、対応する音声データを携帯電話３０２に送信する（Ｔ６０）。携帯電話３０２は、受信した音声データを再生する（Ｔ６１）。また、Ｔ５９において携帯電話３０２が音声ダウンロード未対応機種であることが分かった場合は（Ｔ５９：ＮＯ）、ダウンロード不可を示すＨＴＭＬドキュメント（例えば、ＨＴＴＰエラー４０３のドキュメント）を代わりに送信する（Ｔ６２）。携帯電話３０２は、このドキュメントを画面に表示する（Ｔ６３）。
【００４９】
以上説明した本発明の第４の実施形態においては、携帯電話３０２の固有情報によって、本学習システムの会員と非会員とを分別するようになっている。その結果、会員と非会員とで別々のコンテンツが提供される。
【００５０】
次いで、本発明の第５の実施形態につき説明する。本実施形態のシステムの構成要素は、本発明の第１の実施形態と同様、インターネットＩに接続された第１サーバ２０１、第２サーバ２０２および携帯電話基地局３０１、および携帯電話３０２である。
【００５１】
本実施携帯のシステムにおいては、携帯電話３０２の使用者は、図示しない語学学習テキスト書籍を参照しながら、この書籍に記載されている外国語の例文に対応した音声データを第１サーバ２０１からダウンロードして再生することによって、その例文の発音につき学習する。なお、本実施形態においては、音声データのダウンロードは、予めこのサービスに携帯電話３０２の使用者が登録済みである時のみ、可能である。以下、本実施形態による音声データのダウンロード手順につき説明する。
【００５２】
図１３は、本実施形態における携帯電話３０２、第１サーバ２０１および第２サーバ２０２の挙動を示すタイムチャートである。本実施形態においては、書籍のカバーやオビなどにＱＲコードが印刷されており、携帯電話３０２の使用者はこのＱＲコードを携帯電話３０２に内蔵されたカメラで読み取る。書籍に印刷されたＱＲコードは、第２サーバによって管理されている所定のＨＴＭＬドキュメントを示すＵＲＬに対応したものである。携帯電話３０２によってこのＱＲコードが読み取られると、携帯電話３０２は第２サーバからＨＴＭＬドキュメントのダウンロードを行う為のＨＴＴＰリクエストを携帯電話基地局３０１を介して第２サーバ２０２に送る（Ｔ７１）。第２サーバ２０２は、このリクエストを受信すると、携帯電話基地局３０１を介してそのリクエストに対応した（すなわち、ＱＲコードのＵＲＬに対応するリソースである）ＨＴＭＬドキュメントを携帯電話３０２に送る（Ｔ７２）。
【００５３】
このＨＴＭＬドキュメントは、携帯電話の画面上では図３のように示される。図３に示されるように、ＨＴＭＬドキュメントには書籍のページ数に対応した複数のリンクアンカーが表示されている。このリンクアンカーの各々は、第１サーバ２０１が管理するＨＴＭＬドキュメントへのリンクとなっている。携帯電話３０２の使用者は、キー操作によって所望のアンカーを選択し、携帯電話基地局３０１を介してそのアンカーに示されるＵＲＬに対応するＨＴＭＬドキュメントを取得する為のＨＴＴＰリクエストを第１サーバ２０１に送信する（Ｔ７３）。この際、携帯電話３０２は第１サーバ２０１に携帯電話３０２自身の固有情報を送信している。この固有情報とは、携帯電話３０２一台ごとに割り当てられたユニークな情報である。この固有情報は、例えばＨＴＴＰリクエストのヘッダ内に記録されている。
【００５４】
第１サーバ２０１は、このＨＴＴＰリクエストを受信すると、ＨＴＴＰリクエストに含まれる固有情報を抽出する（Ｔ７４）。次いで、ＨＴＴＰリクエストに含まれるＵＲＬに対応するＨＴＭＬドキュメントを携帯電話３０２に送信する（Ｔ７５）。このＨＴＭＬドキュメントは、図４のように、Ｔ７３で使用者が選択した書籍のページに含まれるフレーズに対応したリンクアンカー群となっている。このリンクアンカーの各々は、リンクアンカーが付けられたフレーズを発音した音声データをダウンロードする為のＨＴＭＬドキュメントへのリンクとなっている。この音声データおよびＨＴＭＬドキュメントは、第１サーバ２０１によって管理されているリソースである。携帯電話３０２の使用者は、キー操作によって所望のアンカーを選択し、携帯電話基地局３０１を介してそのアンカーに示されるＵＲＬに対応するＨＴＭＬドキュメントを取得する為のＨＴＴＰリクエストを第１サーバ２０１に送信する（Ｔ７６）。
【００５５】
第１サーバ２０１は、このＨＴＴＰリクエストを受信すると、Ｔ７４で取得したＨＴＴＰリクエストのヘッダに含まれる固有情報が登録済みであるかどうかを判定する。すなわち、携帯電話３０２の使用者は、本システムにかかるサービスの提供を受けるに当たって、予め携帯電話３０２の固有情報を第１サーバ２０１に送信しており、第１サーバ２０１はこの固有情報をデータベースに記憶している。第１サーバ２０１はリクエストのヘッダに含まれる固有情報と、データベースに記憶されている固有情報とを比較して携帯電話３０２の使用者が登録済みであるかどうかを判定する（Ｔ７７）。
【００５６】
携帯電話３０２の使用者が登録済みであるのならば（Ｔ７７：ＹＥＳ）、第１サーバ２０１は、ＨＴＴＰリクエストに含まれるＵＲＬに対応するＨＴＭＬドキュメントを携帯電話３０２に送信する（Ｔ８０）。携帯電話３０２は、第１サーバ２０１から受信したＨＴＭＬドキュメントを表示する（Ｔ８１）。ＨＴＭＬドキュメントは、図９のように、ＱＲコードの隣に印刷されているフレーズを発音した音声データに対応したリンクアンカーを含む。
【００５７】
一方、Ｔ７７において携帯電話３０２の使用者が未登録であることが分かった場合は（Ｔ７７：ＮＯ）、未登録者向けのＨＴＭＬドキュメントを代わりに送信する（Ｔ７８）。携帯電話３０２は、受信したドキュメントを表示する（Ｔ７９）。このドキュメントは、例えば図１２のような、音声データへのリンクアンカーを含まないＨＴＭＬドキュメントである。
【００５８】
Ｔ８１において、携帯電話３０２にＨＴＭＬドキュメントが表示されると、使用者は、このドキュメントを確認し、音声データをダウンロードすべきかを判断する（Ｔ８２）。携帯電話３０２の使用者が音声データをダウンロードする場合は（Ｔ８２：ＹＥＳ）、使用者はキー操作にて音声データへのリンクを選択する。この操作によって、携帯電話３０２は、Ｔ８１で表示されたＨＴＭＬドキュメントに含まれるアンカーに示されるＵＲＬに対応する音声データを取得する為のＨＴＴＰリクエストを第１サーバ２０１に送信する。一方、携帯電話３０２の使用者が音声データをダウンロードしない場合は（Ｔ８２：ＮＯ）、使用者はキー操作にて、Ｔ７６で取得したＨＴＭＬドキュメントを再表示させる。
【００５９】
第１サーバ２０１は、Ｔ８２で送信されたＨＴＴＰリクエストを受信すると、Ｔ７４で取得したＨＴＴＰリクエストのヘッダに含まれる固有情報から、携帯電話３０２が音声のダウンロードに対応した機種であるかどうか（例えば、携帯電話３０２が特定の形式の音声データファイルを再生可能であるかどうか）の判定が行われる。（Ｔ８３）。
【００６０】
携帯電話３０２が音声ダウンロード対応機種であるのならば（Ｔ８３：ＹＥＳ）、対応する音声データを携帯電話３０２に送信する（Ｔ８４）。携帯電話３０２は、受信した音声データを再生する（Ｔ８５）。次いで、使用者はキー操作にて、Ｔ７６で取得したＨＴＭＬドキュメントを再表示させる。また、Ｔ８３において携帯電話３０２が音声ダウンロード未対応機種であることが分かった場合は（Ｔ８３：ＮＯ）、ダウンロード不可を示すＨＴＭＬドキュメント（例えば、ＨＴＴＰエラー４０３のドキュメント）を代わりに送信する（Ｔ８６）。携帯電話３０２は、受信したドキュメントを表示する（Ｔ８７）。次いで、使用者はキー操作にて、Ｔ７６で取得したＨＴＭＬドキュメントを再表示させる。
【００６１】
以上のように、本実施形態においては、携帯電話３０２の固有情報によって、本学習システムの会員と非会員とを分別するようになっている。その結果、会員と非会員とで別々のコンテンツが提供される。
【図面の簡単な説明】
【００６２】
【図１】本発明の第１の実施形態における、学習システムの全体図を示したものである。
【図２】本発明の第１の実施形態における、携帯電話、第１サーバおよび第２サーバの挙動を示すタイムチャートである。
【図３】本発明の第１の実施形態において、携帯電話の画面上に表示されるページ選択用のＨＴＭＬドキュメントを示したものである。
【図４】本発明の第１の実施形態において、携帯電話の画面上に表示されるフレーズ選択用のＨＴＭＬドキュメントを示したものである。
【図５】本発明の第１の実施形態において、携帯電話の画面上に表示される音声ダウンロード用のＨＴＭＬドキュメントを示したものである。
【図６】本発明の第２の実施形態における、学習システムの全体図を示したものである。
【図７】本発明の第２の実施携帯において使用される語学学習用書籍の内容を示したものである。
【図８】本発明の第２の実施形態における、携帯電話及び第１サーバの挙動を示すタイムチャートである。
【図９】本発明の第２の実施形態において、携帯電話の画面上に表示される音声ダウンロード用のＨＴＭＬドキュメントを示したものである。
【図１０】本発明の第３の実施形態における、携帯電話及び第１サーバの挙動を示すタイムチャートである。
【図１１】本発明の第４の実施形態における、携帯電話及び第１サーバの挙動を示すタイムチャートである。
【図１２】本発明の第４の実施形態において、携帯電話の画面上に表示される未登録者向けのＨＴＭＬドキュメントを示したものである。
【図１３】本発明の第５の実施形態における、携帯電話、第１サーバおよび第２サーバの挙動を示すタイムチャートである。
【符号の説明】
【００６３】
２０１    第１サーバ
２０２    第２サーバ
３０１    携帯電話基地局
３０２    携帯電話
Ｉ    インターネット
【図１】
2007212592.tif 000003
【図２】
2007212592.tif 000004
【図３】
2007212592.tif 000005
【図４】
2007212592.tif 000006
【図５】
2007212592.tif 000007
【図６】
2007212592.tif 000008
【図７】
2007212592.tif 000009
【図８】
2007212592.tif 000010
【図９】
2007212592.tif 000011
【図１０】
2007212592.tif 000012
【図１１】
2007212592.tif 000013
【図１２】
2007212592.tif 000014
【図１３】
2007212592.tif 000015